(57)【要約】【課題】  多種多様な撮影装置のシャッタボタン等のボタンを確実に操作できるように自動操作器を取り付けることができる撮影装置の自動操作器用固定具を提供する。【解決手段】  固定具は、ベースプレート１、Ｌ型中継プレート２及びＬ型支持プレート３を備える。ベースプレート１は、撮影装置取付用のネジ挿通孔１０を長手方向に形成してなる。Ｌ型中継プレート２は、ベースプレート取付部２Ａと、ベースプレート取付部２Ａに垂直に設けた支持プレート取付部２Ｂとからなる。ベースプレート取付部２Ａは、ベースプレート１への取付用のネジ挿通孔２２，２３を有する。支持プレート取付部２Ｂは、支持プレート取付用のネジ挿通孔２１を有する。Ｌ型支持プレート３は、アクチュエータが取り付けられる取付片３Ａと、支持プレート取付部２Ｂに取り付けられる取付片３Ｂとからなる。【選択図】      図１
0003114062.tif 000002
【実用新案登録請求の範囲】
【請求項１】
ベースプレート、Ｌ型中継プレート及びＬ型支持プレートを備え、
ベースプレートは、少なくとも撮影装置が取り付けられるものであり、撮影装置取付用のネジ挿通孔を長手方向に形成してなり、
Ｌ型中継プレートは、ベースプレートに取り付けられるベースプレート取付部と、このベースプレート取付部にほぼ垂直に設けた支持プレート取付部とからなり、前記垂直方向に且つ当該垂直方向に直交する方向に広がる支持プレート取付用のネジ挿通孔を支持プレート取付部に形成してなり、
Ｌ型支持プレートは、自動操作器のアクチュエータが取り付けられる取付片と、この取付片にほぼ垂直に設けた取付片とからなり、前者の取付片がベースプレートの撮影装置取付用のネジ挿通孔側に突出するように、後者の取付片がＬ型中継プレートの支持プレート取付部に沿って取り付けられてなることを特徴とする撮影装置の自動操作器用固定具。
【請求項２】
Ｌ型中継プレートのベースプレート取付部は、ベースプレートの撮影装置取付用のネジ挿通孔の延在方向とほぼ同方向に延びるベースプレートへの２つの取付用のネジ挿通孔を前記延在方向と直交する方向に並んで有することを特徴とする請求項１記載の撮影装置の自動操作器用固定具。
【請求項３】
ベースプレートは、Ｌ型中継プレートのベースプレート取付部の各ネジ挿通孔に対応する位置にそれぞれ２つのネジ穴を前記延在方向に並んで有することを特徴とする請求項２記載の撮影装置の自動操作器用固定具。
【請求項４】
ベースプレートの撮影装置取付用のネジ挿通孔は、当該ベースプレートの長手方向にほぼ直交する方向に広がることを特徴とする請求項１、請求項２又は請求項３記載の撮影装置の自動操作器用固定具。
【考案の詳細な説明】
【技術分野】
【０００１】
この考案は、撮影装置（主としてビデオカメラ）のボタン（特にシャッタボタン）を自動操作する自動操作器を固定するための撮影装置の自動操作器用固定具に関する。
【背景技術】
【０００２】
近年、ビデオカメラ等の撮影装置と赤外線検知器等のセンサとを近傍に配置し、センサが発熱体（人間、人間以外の動物等）を検知すると、このセンサ信号をトリガーにしてアクチュエータが撮影装置のシャッタボタン等のボタンを押圧操作し、撮影装置が発熱体を自動撮影する技術が知られている。この技術では、赤外線を検知したときに撮影装置のボタンを遠隔操作又は無人操作する撮影装置用自動操作器が使用される。
【０００３】
この撮影装置用自動操作器としては、撮影装置のシャッタボタンを動作させるアクチュエータ手段と、アクチュエータ手段の駆動電源と、駆動電源のスイッチ手段と、アクチュエータ手段を撮影装置の所定位置に着脱自在に固定する装着手段とを備え、アクチュエータ手段は、電磁ソレノイドと、電磁ソレノイドのプランジャシャフト先端に装着され撮影装置のシャッタボタンに当接する弾性押圧手段と、弾性押圧手段が撮影装置のシャッタボタンに接する位置にアクチュエータ手段をセットする支持手段とから構成した撮影補助装置がある（例えば、特許文献１参照）。
【０００４】
そのような撮影装置用自動操作器では、撮影装置自体のサイズ・形状やボタンの位置（上下・左右・前後の各方向位置）が種々異なる上に、ボタンの操作方向とアクチュエータの操作方向との関係も微妙に相違する各種撮影装置に応じて、ボタンを確実に自動操作できることが重要である。
【０００５】
上記特許文献１記載の撮影補助装置では、アクチュエータ手段を撮影装置の所定位置に着脱自在に固定する装着手段として、両端部に締結手段としての面ファスナーを有するベルトを用いている。
【０００６】
また、本願の先願に係る特許文献２には、３つのバーを用いた装着手段により操作手段（アクチュエータ）を撮影装置に固定する実施形態が記載されている。その装着手段は、図７に示すように、直線状のバー８１、Ｌ字状のバー８２及びＬ字状のバー８３を用いるもので、撮影装置７０と赤外線検知器１００がバー８１にネジ９１により取り付けられ、バー８１にはバー８２が、バー８２にはバー８３が、更にバー８３にアクチュエータ１１０がそれぞれネジ９１により取り付けられている。バー８１はネジ９１を通す２本の細長い開口を長手方向に有するので、各開口を利用して撮影装置７０と赤外線検知器１００をそれぞれ任意の位置で固定できる。同様に、バー８２，８３もネジ９１を通す細長い開口を有しており、バー８２に対するバー８３の位置とバー８３に対する操作手段１１０の位置をそれぞれ任意に固定できる。
【特許文献１】特開２００２−１４８７０３号公報
【特許文献２】特開２００５−２０５０４号公報（〔００２９〕〜〔００３１〕、図１０、図１１）
【考案の開示】
【考案が解決しようとする課題】
【０００７】
ビデオカメラ等の撮影装置は、装置自体のサイズや形状もまちまちであるばかりか、シャッタボタンの位置がメーカーや機種ごとに異なる上に、シャッタボタンが位置する付近は、平坦面であることは少なく、凸曲面、凹曲面の他、大小様々な突起物があるのが普通である。このような各種撮影装置では、アクチュエータを撮影装置にしっかりと固定し、アクチュエータがシャッタボタンを確実に押圧操作できるようにする必要がある。
【０００８】
しかしながら、上記特許文献１では、装着手段としてのベルトでアクチュエータ手段を撮影装置に固定しているため、アクチュエータ手段が不安定になり易い。つまり、アクチュエータ手段を取り付けたベルトを撮影装置に巻き付けてから締結手段としての面ファスナーでベルトが緩まないようにしているが、大小様々な凹凸面や突起物がある撮影装置にどんなにベルトをしっかりと固定したつもりでも、何度もアクチュエータ手段でシャッタボタンを操作するうちに、その振動等によりベルトが緩んだり、ベルトの位置がずれたりすることが多い。このような場合、アクチュエータ手段によるシャッタボタンの押圧操作が不安定になり、大切なシャッタチャンスを逃すことも有り得る。
【０００９】
また、上記特許文献２では、操作手段１１０をバー８３にネジ９１で固定するので、操作手段１１０によるシャッタボタンの押圧操作が不安定になることはないが、操作手段１１０の固定位置に余り自由度がない。すなわち、バー８１に対する撮影装置７０（及び赤外線検知器１００）とバー８２の位置は図７の左右方向にのみ、バー８２に対するバー８３の位置は上下方向にのみ、バー８３に対するアクチュエータ１１０の位置は左右方向にのみ調整できる。この場合、ベルトに比べて、バー８１，８２，８３は金属製や樹脂製を問わず剛直性を有するのが普通であるため、各種サイズや形状の撮影装置に対応するには、可能な限り上下・左右・前後方向のうち複数の方向に固定位置を調節できること、更には撮影装置のシャッタボタンの操作方向とアクチュエータの操作方向とができるだけ同じであることが好ましい。
【００１０】
この考案は、そのような実状に着目してなされたもので、多種多様な撮影装置のシャッタボタン等のボタンを確実に操作できるように自動操作器を取り付けることができる撮影装置の自動操作器用固定具を提供することを目的としている。
【課題を解決するための手段】
【００１１】
前記目的を達成するために、本考案の撮影装置の自動操作器用固定具は、ベースプレート、Ｌ型中継プレート及びＬ型支持プレートを備え、ベースプレートは、少なくとも撮影装置が取り付けられるものであり、撮影装置取付用のネジ挿通孔を長手方向に形成してなり、Ｌ型中継プレートは、ベースプレートに取り付けられるベースプレート取付部と、このベースプレート取付部にほぼ垂直に設けた支持プレート取付部とからなり、前記垂直方向に且つ当該垂直方向に直交する方向に広がる支持プレート取付用のネジ挿通孔を支持プレート取付部に形成してなり、Ｌ型支持プレートは、自動操作器のアクチュエータが取り付けられる取付片と、この取付片にほぼ垂直に設けた取付片とからなり、前者の取付片がベースプレートの撮影装置取付用のネジ挿通孔側に突出するように、後者の取付片がＬ型中継プレートの支持プレート取付部に沿って取り付けられてなることを特徴とする。
【００１２】
この固定具では、特にＬ型中継プレートの支持プレート取付部の支持プレート取付用のネジ挿通孔が前記垂直方向に且つ当該垂直方向に直交する方向に広がっているので、すなわちネジ挿通孔内でのネジの自由度が大きいので、支持プレート取付部に対する支持プレートの固定位置を上下方向及び左右方向（ベースプレートに取り付けた撮影装置に対する方向）の広範囲にわたって調整することが可能である。
【００１３】
この固定具において、Ｌ型中継プレートのベースプレート取付部は、ベースプレートの撮影装置取付用のネジ挿通孔の延在方向とほぼ同方向に延びるベースプレートへの２つの取付用のネジ挿通孔を前記延在方向と直交する方向に並んで有することが好ましい。
【００１４】
また、ベースプレートは、Ｌ型中継プレートのベースプレート取付部の各ネジ挿通孔に対応する位置にそれぞれ２つのネジ穴を前記延在方向に並んで有することが好ましい。
【００１５】
更に、ベースプレートの撮影装置取付用のネジ挿通孔は、当該ベースプレートの長手方向にほぼ直交する方向に広がることが好適である。
【００１６】
また、本考案を適用する自動撮影装置は、上記自動操作器用固定具を用い、ベースプレートにＬ型中継プレートが取り付けられ、Ｌ型中継プレートにＬ型支持プレートが取り付けられた状態にて、ベースプレートに撮影装置が取り付けられ、Ｌ型支持プレートに自動操作器のアクチュエータが取り付けられ、アクチュエータにより撮影装置のボタンを操作できるように、ベースプレートに対する撮影装置の固定位置、及びＬ型中継プレートの支持プレート取付部に対するＬ型支持プレートの固定位置を調整してなることを特徴とする。
【考案の効果】
【００１７】
請求項１記載の考案によれば、Ｌ型中継プレートの支持プレート取付部に対する支持プレートの固定位置を上下方向だけでなく左右方向にも調整することが可能であるため、撮影装置に対するアクチュエータの固定位置の自由度が高まり、様々なサイズや形状の撮影装置に対応でき、そのシャッタボタン等のボタンを確実に操作できるようになる。
【００１８】
請求項２記載の考案によれば、ベースプレートに対するＬ型中継プレートの固定位置を前後方向に調整できるだけでなく、ベースプレートに対するＬ型中継プレートの固定角度（左右方向の向き）を調整でき、撮影装置に対するアクチュエータの固定位置の自由度がより向上し、特に撮影装置のボタンの操作方向とアクチュエータの操作方向を可能な限り同じ方向に合わせることができる。
【００１９】
請求項３記載の考案によれば、ベースプレートに対するＬ型中継プレートの前後方向における固定位置の調整範囲が広くなる。
【００２０】
請求項４記載の考案によれば、ベースプレートに対する撮影装置の固定位置を前後方向だけでなく、左右方向にも調整することができ、撮影装置の固定位置の自由度がより高まる。
【考案を実施するための最良の形態】
【００２１】
以下、実施の形態により、この考案を更に詳細に説明する。
【００２２】
実施形態に係る撮影装置の自動操作器用固定具の分解斜視図を図１に、同固定具に撮影装置、発熱体検知センサとしての赤外線検知器及びアクチュエータを取り付けた状態の概略上面図（平面図）を図２に示す。なお、図１に示す座標において、固定具に取り付けられた撮影装置に対して、ｘ軸方向は前後方向を、ｙ軸方向は左右方向を、ｚ軸方向は上下方向を表しており、それぞれ括弧内に表記した方向が前側、右側、上側を指している。
【００２３】
この固定具は、ベースプレート１、Ｌ型中継プレート２及びＬ型支持プレート３を備える。
【００２４】
ベースプレート１は、ここでは撮影装置７０及び赤外線検知器１００が取り付けられるものであり、撮影装置取付用のネジ挿通孔１０が当該ベースプレート１の長手方向に形成されてなる。ネジ挿通孔１０は前後方向の長さａを有するとともに、ネジ径よりも大きい左右方向の長さ（幅）を有し、ベースプレート１の前方寄りの位置に設けられている。また、ベースプレート１は、Ｌ型中継プレート２の後記各ネジ挿通孔２２，２３に対応する位置にそれぞれ２つのネジ穴１２，１３をネジ挿通孔１０の延在方向（前後方向）に並んで有する。各２つのネジ穴１２，１３は、それぞれ適度な間隔を置いて設けられている。
【００２５】
この他、ベースプレート１には、当該ベースプレート１（固定具自身）を三脚の雲台にネジ（カメラネジ）により取り付けるためのネジ穴１５、赤外線検知器１００を撮影装置の前横に配置したいときに別の長方形状のプレート（図示せず）を取り付けるためのネジ穴１６、当該ベースプレート１の下側に設けた基盤に当該ベースプレート１を動かないように固定するための２つのネジ穴１７が形成されている。
【００２６】
Ｌ型中継プレート２は、ベースプレート１に取り付けられるベースプレート取付部２Ａと、このベースプレート取付部２Ａに垂直に設けた支持プレート取付部２Ｂとからなる。
【００２７】
ベースプレート取付部２Ａは、ベースプレート１のネジ挿通孔１０の延在方向とほぼ同方向に延びるベースプレート１への２つの取付用のネジ挿通孔２２，２３を前記延在方向と直交する方向（左右方向）に並んで有する。ネジ挿通孔２２，２３は前後方向の長さｂを有し、ベースプレート取付部２Ａの前後方向の端縁に沿って延びている。このネジ挿通孔２２，２３には、ベースプレート取付部２Ａをベースプレート１に固定するのに使用するネジ６０が挿通され、ネジ６０は前記ベースプレート１のネジ穴１２，１３（それぞれどちらか一方のネジ穴）に螺合される。
【００２８】
支持プレート取付部２Ｂは、前記垂直方向（上下方向）に且つ当該垂直方向に直交する方向（左右方向）に広がる支持プレート取付用のネジ挿通孔２１を有する。ネジ挿通孔２１は上下方向の長さｃと左右方向の長さｄを有し、支持プレート取付部２Ｂの中央に設けられている。つまり、ネジ挿通孔２１は、ネジ６０が当該ネジ挿通孔２１内で上下方向及び左右方向に移動できる範囲を有する。
【００２９】
Ｌ型支持プレート３は、自動操作器のアクチュエータ１１０が取り付けられる取付片３Ａと、この取付片３Ａに垂直に設けられ、Ｌ型中継プレート２の支持プレート取付部２Ｂに取り付けられる取付片３Ｂとからなる。取付片３Ａはアクチュエータ１１０を固定するのに使用するネジ６０（図２参照）を通す２つのネジ挿通孔３１を有し、取付片３Ｂは支持プレート取付部２Ｂに固定するのに使用するネジ６０を止めるためのネジ穴３２を有する。取付片３Ｂは支持プレート取付部２Ｂの前面に沿って配置され、その反対側の支持プレート取付部２Ｂの後面には、ネジ６０を通すネジ挿通孔４１を有する当接板４が配置される。このＬ型支持プレート３は、取付片３Ａがベースプレート１のネジ挿通孔１０側に突出するように、取付片３Ｂが支持プレート取付部２Ｂに沿って取り付けられる。
【００３０】
このように構成した固定具において、撮影装置７０は、ベースプレート１のネジ挿通孔１０上に或る程度位置を考慮して載せ、ベースプレート１の裏側から例えば蝶ネジ（図示せず）により取り付ける。このとき、細長いネジ挿通孔１０を利用し、ベースプレート１に対する撮影装置７０の固定位置（前後・左右方向位置）を調整できる。
【００３１】
なお、赤外線検知器１００は、ベースプレート１及びネジ挿通孔１０が適度に長く、しかも撮影装置７０の撮影の邪魔にならないのであれば、撮影装置７０の前側にネジ挿通孔１０を利用して固定してもよいし（図２〜図６参照）、撮影装置７０の前横に配置したいのであれば、前記したようにベースプレート１のネジ穴１６に別のプレートを当該ベースプレート１と直交方向に取り付け、このプレートに赤外線検知器１００を固定してもよい。或いは、ベースプレート１の裏側に赤外線検知器１００を固定しても構わない（図２〜図６参照）。また、赤外線検知器１００は、前面に検知部を有する。
【００３２】
Ｌ型中継プレート２のベースプレート取付部２Ａは、小ワッシャ６１と大ワッシャ６２を介してネジ挿通孔２２，２３にそれぞれ通した２本のネジ６０をベースプレート１のネジ穴１２，１３の各々の一方のネジ穴に螺合することで、ベースプレート１に固定される。このとき、細長いネジ挿通孔２２，２３を利用し、ベースプレート１に対するＬ型中継プレート２の固定位置（前後方向位置）を調整できる。
【００３３】
Ｌ型支持プレート３は、当接板４をあてがった上で小ワッシャ６１と大ワッシャ６２を介して、当接板４のネジ挿通孔４１及びＬ型中継プレート２の支持プレート取付部２Ｂのネジ挿通孔２１に通したネジ６０を取付片３Ｂのネジ穴３２に螺合することで、Ｌ型中継プレート２に固定される。このとき、上下方向及び左右方向に広がりを持つネジ挿通孔２１を利用し、Ｌ型中継プレート２に対するＬ型支持プレート３の固定位置（上下・左右方向位置）を調整できる。
【００３４】
アクチュエータ１１０は、小ワッシャ６１と大ワッシャ６２を介してネジ挿通孔３１に通したネジ６０（図２参照）を、当該アクチュエータ１１０に形成してあるネジ穴に螺合することで、Ｌ型支持プレート３に固定される。
【００３５】
なお、アクチュエータ１１０は、撮影装置７０のボタン（シャッタボタン）７１を押圧操作するプランジャ１１１が電磁ソレノイドの内側空洞に移動可能に配置された構造を備え、プランジャ１１１の先端部が出入可能になっている。勿論、固定具を用いて全ての要素を一体的に取り付ける際には、アクチュエータ１１０のプランジャ１１１が撮影装置７０のボタン７１を押圧操作できるように、各要素の固定位置が調節される。
【００３６】
このように構成した固定具では、ベースプレート１に対する撮影装置７０の固定位置（前後・左右方向位置）、ベースプレート１に対するＬ型中継プレート２の固定位置（前後方向位置）、Ｌ型中継プレート２に対するＬ型支持プレート３の固定位置（上下・左右方向位置）をそれぞれ調整できるため、特にＬ型中継プレート２に対するＬ型支持プレート３の固定位置を上下方向だけでなく左右方向にも調整することが可能であるため、撮影装置７０に対するアクチュエータ１１０の固定位置の自由度が高まり、様々なサイズや形状の撮影装置７０に対応でき、そのシャッタボタン等のボタン７１を確実に操作できるようになる。
【００３７】
撮影装置７０のボタン７１とアクチュエータ１１０のプランジャ１１１との位置関係については、図２に示すように、ベースプレート１に取り付けた撮影装置７０のボタン７１がベースプレート１の左右方向のほぼ中央に位置する場合は、それに応じてＬ型中継プレート２に対するＬ型支持プレート３の左右方向の固定位置、すなわちアクチュエータ１１０のプランジャ１１１の位置を調整する。勿論、ボタン７１とプランジャ１１１の位置が上下方向にずれている場合は、Ｌ型支持プレート３の上下方向の固定位置を調整する。これにより、ボタン７１の操作方向とプランジャ１１１の出入方向が同じになり、プランジャ１１１によるボタン７１の押圧操作が確実且つ安定する。
【００３８】
図３の例は、ボタン７１の位置が左側（図面の右側）に位置する場合で、これに応じてＬ型支持プレート３の左右方向の固定位置を左側に調整してある。つまり、支持プレート取付部２Ｂのネジ挿通孔２１内でネジ６０を左側に寄せてＬ型支持プレート３を固定すればよい。図４の例は、図３とは反対にボタン７１の位置が右側（図面の左側）に位置する場合で、Ｌ型支持プレート３の左右方向の固定位置を右側に調整してある。
【００３９】
この固定具では、Ｌ型中継プレート２のベースプレート取付部２Ａのネジ挿通孔２２，２３に対応するベースプレート１のネジ穴１２，１３がそれぞれ２つずつ設けられているので、ベースプレート１に対するＬ型中継プレート２の左右方向の角度を調整することも可能である。
【００４０】
すなわち、図２の状態のときは、図５に示すようにＬ型中継プレート２はベースプレート１に前後方向に真っ直ぐな姿勢で固定されるが、例えば図６のように撮影装置７０´のボタン７１が斜め右側に配置されているときは、それに応じて、Ｌ型中継プレート２を左右方向に回転させるとともに、Ｌ型支持プレート３の左右方向の固定位置を右側に寄せる。これにより、アクチュエータ１１０のプランジャ１１１がボタン７１に正対するようになり、プランジャ１１１によりボタン７１を確実且つ安定して押圧操作することができる。
【００４１】
Ｌ型中継プレート２の左右方向への回転は、ネジ６０を緩めた上で行うことができる。このとき、ベースプレート取付部２Ａのネジ挿通孔２２，２３が細長いため、Ｌ型中継プレート２を可能な範囲で回転させるのは容易である。
【００４２】
また、この固定具では、ベースプレート１のネジ穴１２，１３がそれぞれ２つずつ設けられているので、ネジ穴１２，１３がそれぞれ１つずつの場合に比べて、ベースプレート１に対するＬ型中継プレート２の前後方向の固定位置の調整範囲が広い。勿論、ネジ穴１２，１３がそれぞれ１つずつであってもよい。
【００４３】
撮影装置７０、赤外線検知器１００、アクチュエータ１１０を取り付けた固定具（全体としての自動撮影装置）は、屋外や屋内に設置しておく。赤外線検知器１００が人間や人間以外の動物等の赤外線発生体からの赤外線を検知すると、それをトリガーとしてアクチュエータ１１０が作動し、プランジャ１１１の先端部が撮影装置７０のシャッタボタン７１を押圧操作する。これにより、撮影装置７０が被写体である赤外線発生体を自動撮影する。
【図面の簡単な説明】
【００４４】
【図１】実施形態に係る撮影装置の自動操作器用固定具の分解斜視図である。
【図２】同固定具に撮影装置、発熱体検知センサとしての赤外線検知器及びアクチュエータを取り付けた状態の一例を示す概略上面図（平面図）である。
【図３】同固定具に撮影装置、発熱体検知センサとしての赤外線検知器及びアクチュエータを取り付けた状態の別例を示す概略上面図（平面図）である。
【図４】同固定具に撮影装置、発熱体検知センサとしての赤外線検知器及びアクチュエータを取り付けた状態の更に別例を示す概略上面図（平面図）である。
【図５】同固定具に撮影装置、発熱体検知センサとしての赤外線検知器及びアクチュエータを取り付けた状態（Ｌ型中継プレートが真っ直ぐな状態）の概略上面図（平面図）である。
【図６】同固定具に撮影装置、発熱体検知センサとしての赤外線検知器及びアクチュエータを取り付けた状態（Ｌ型中継プレートを左右方向に回転させた状態）の概略上面図（平面図）である。
【図７】従来例に係る撮影装置用自動操作器の操作手段を撮影装置としてのデジタルカメラに装着手段（３つのバーからなるもの）により装着したときの概略正面図である。
【符号の説明】
【００４５】
１            ベースプレート
２            Ｌ型中継プレート
２Ａ          ベースプレート取付部
２Ｂ          支持プレート取付部
３            Ｌ型支持プレート
３Ａ，３Ｂ    取付片
４            当接板
１０          ネジ挿通孔
１２，１３    ネジ穴
２１          ネジ挿通孔
２２，２３    ネジ挿通孔
７０          撮影装置（デジタルカメラ）
７１          ボタン（シャッタボタン）
１００        発熱体検知センサ（赤外線検知器）
１１０        アクチュエータ
１１１        プランジャ
【図１】
0003114062.tif 000003
【図２】
0003114062.tif 000004
【図３】
0003114062.tif 000005
【図４】
0003114062.tif 000006
【図５】
0003114062.tif 000007
【図６】
0003114062.tif 000008
【図７】
0003114062.tif 000009